(57)【要約】【課題】灯具用リフレクター構成を提供する。【解決手段】光遮断板及びリフレクター本体を少なくとも備え、結合された光遮断板及びリフレクター本体の間に少なくとも１つの光源を装設させる。光遮断板には少なくとも１つの光反射面が成型されて光源により投射された光線を反射させ、反射された光線は外に向けて投射されるか、或いはリフレクター本体から外に向けて投射され、灯具の照明の幅及び長さが制御可能な範囲になる。これにより、前記灯具が特に車両のヘッドライトや道路照明を投射するための灯具に適用され、灯具の照明効率が大幅に高まるのみならず、車両のヘッドライトに運用される場合、光線が対向車のドライバーの目に照射されるのが回避され、道路照明に運用される場合、路肩のガードレールに装設されるのみであり、資源の浪費を有効的に減少させ、メンテナンスコストを低下させる。【選択図】図２Ｂ
2016149348.tif 000002
【特許請求の範囲】
【請求項１】
少なくとも１つの光源と、
前記光源が内部に装設されて照明用光線を発生させ、少なくとも１つの光遮断板及びリフレクター本体が結合されることで形成される少なくとも１つのリフレクターであって、前記光遮断板の内表面には前記光源により投射される光線の光遮断面として設けられる少なくとも１つの平滑面を有し、且つ前記少なくとも１つの光遮断面には前記光遮断面に垂直になる光遮断板の外表面方向に向けて少なくとも１つの光反射面が成型され、前記光遮断板には少なくとも１つの位置決め構成が設けられ、前記リフレクター本体は上述の光遮断板の光遮断面に結合され、且つ前記光遮断板の光反射面により反射された光線及び前記光源により直接投射される光線を反射させる異なる傾斜角度を有する複数の光反射内表面が設けられ、前記リフレクター本体には少なくとも１つの位置決め構成が設けられることとを少なくとも備えることを特徴とする灯具用リフレクター構成。
【請求項２】
前記光遮断板の内表面は少なくとも１つの水平に設置される平滑光遮断面及び少なくとも１つの傾斜角度をつけて設置される平滑光遮断面を有することを特徴とする、請求項１に記載の灯具用リフレクター構成。
【請求項３】
前記光遮断板の少なくとも１つの光遮断面に成型される光反射面は少なくとも１つの弧状光反射面であることを特徴とする、請求項１に記載の灯具用リフレクター構成。
【請求項４】
前記光遮断板の少なくとも１つの光遮断面に成型される光反射面は少なくとも１つの曲面光反射面であることを特徴とする、請求項１に記載の灯具用リフレクター構成。
【請求項５】
前記光遮断板の少なくとも１つの光遮断面に成型される光反射面は少なくとも１つの弧状光反射面であり、且つ前記弧状光反射面の前方には同一の光遮断面に前記光遮断面に垂直になる光遮断板の外表面方向に向けて成型される少なくとも１つの錐状曲面光反射面がさらに設けられ、前記各錐状曲面光反射面には異なる傾斜角度を有する複数の弧状傾斜面が連接されることで曲面が構成され、前記各弧状傾斜面は縦方向の傾斜角度がリフレクターの底部から前記錐状曲面光反射面の錘状上部に向けて偏向しながらリフレクターの上部の内側に傾斜してゆくことを特徴とする、請求項１に記載の灯具用リフレクター構成。
【請求項６】
前記光遮断板の少なくとも１つの光遮断面に成型される光反射面は少なくとも１つの弧状光反射面であり、且つ前記弧状光反射面の前方には同一の光遮断面に前記光遮断面に垂直になる光遮断板の外表面方向に向けて成型される少なくとも１つの錐状曲面光反射面がさらに設けられ、前記各錐状曲面光反射面は光遮断板の中間の垂直平滑光遮断面の一側辺にのみ位置され、前記各錐状曲面光反射面には異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜してゆくことを特徴とする、請求項１に記載の灯具用リフレクター構成。
【請求項７】
前記光遮断板の少なくとも１つの光遮断面に成型される光反射面は少なくとも１つの弧状光反射面であり、且つ前記弧状光反射面の前方には電磁石に連結される可動式光遮断面がさらに設けられ、前記可動式光遮断面には前記光遮断面に垂直になる光遮断板の外表面方向に向けて少なくとも１つの錐状曲面光反射面が成型され、前記各錐状曲面光反射面は異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜してゆくことを特徴とする、請求項１に記載の灯具用リフレクター構成。
【請求項８】
前記リフレクター本体は少なくとも１つの錐状曲面光反射面で構成され、前記各錐状曲面光反射面には異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜してゆき、前記リフレクター本体の上方の表面の二側辺は外側方向に向けて少なくとも１つの平面が各々延伸されることを特徴とする、請求項１に記載の灯具用リフレクター構成。
【請求項９】
前記リフレクター本体の底端にはリフレクター本体の底部の外側に向けて傾斜される中間半円傾斜面が延伸され、中間半円傾斜面の底端にはリフレクターの底部の内側に向けて傾斜される少なくとも１つの底部錐状曲面光反射面がさらに連接され、前記各底部錐状曲面光反射面には異なる傾斜角度を有する複数の弧状傾斜面が連接されることで曲面が構成され、前記各弧状傾斜面の縦方向の傾斜角度は前記中間半円傾斜面の底端から前記前記底部錐状曲面光反射面の錘状上部に向けて偏向しながらリフレクターの底部の内側に傾斜してゆき、前記リフレクター本体の上方の表面の二側辺は外側方向に向けて少なくとも１つの平面が各々延伸されることを特徴とする、請求項に記載の灯具用リフレクター構成。
【請求項１０】
前記リフレクターの底部には外側辺に向けて少なくとも１つの装飾用パネルが成型され、且つ前記装飾用パネルには少なくとも１つの警告用光源がさらに増設されることを特徴とする、請求項１に記載の灯具用リフレクター構成。
【請求項１１】
前記リフレクターは上下方向に１８０度回転され、且つ少なくとも１つの光透過板を有するダストカバー内部に装設されることを特徴とする、請求項１に記載の灯具用リフレクター構成。
【請求項１２】
前記リフレクターの底部は中空円筒状ブラケットの一端面に構設され、前記中空円筒状ブラケットの他端面にはレンズがさらに構設されることを特徴とする、請求項１１に記載の灯具用リフレクター構成。
【請求項１３】
前記リフレクターの底部には少なくとも１つの光透過板が構設されることを特徴とする、請求項１に記載の灯具用リフレクター構成。
【請求項１４】
前記リフレクターの底部には少なくとも１つの発光モジュールが構設されることを特徴とする、請求項１に記載の灯具用リフレクター構成。
【請求項１５】
前記リフレクターの底部は高さが不均一な構造であることを特徴とする、請求項１に記載の灯具用リフレクター構成。
【請求項１６】
前記リフレクターは少なくとも前記光遮断板の外側表面に複数の放熱用フィン状突起物がさらに設けられることを特徴とする、請求項１に記載の灯具用リフレクター構成。
【請求項１７】
前記光遮断板の内表面には少なくとも１つの水平に設置される光遮断面及び少なくとも１つの垂直に設置される高さが不均一な光遮断面が設けられ、前記垂直に設置される高さが不均一な光遮断面は前記光遮断板の底部領域の内表面に位置されると共に上述の水平に設置される光遮断面の下方に垂直になることを特徴とする、請求項１に記載の灯具用リフレクター構成。
【請求項１８】
少なくとも１つの光源と、
前記光源が内部に装設されて照明用光線を発生させ、複数の光反射面を有する少なくとも１つの光遮断板で構成される少なくとも１つのリフレクターであって、前記光遮断板は前記光源により投射される光線の光遮断面として設けられる少なくとも１つの平滑面を有し、且つ前記少なくとも１つの光遮断面には前記光遮断面に垂直になる上方及び下方に向けて少なくとも１つの錐状曲面光反射面が各々成型され、前記各錐状曲面光反射面には異なる傾斜角度を有する複数の弧状傾斜面が連接されることで曲面が各々構成され、前記各弧状傾斜面の縦方向の傾斜角度はリフレクターの底部から前記前記錐状曲面光反射面の錘状上部に向けて偏向しながらリフレクターの上部の内側に傾斜してゆき、前記光遮断面に上方及び下方に向けて各々成型される錐状曲面光反射面は非対称構造であり、前記リフレクターには少なくとも１つの位置決め構成が設けられることとを少なくとも備えることを特徴とする灯具用リフレクター構成。
【請求項１９】
前記光遮断板は少なくとも１つの水平に設置される平滑光遮断面及び少なくとも１つの傾斜角度をつけて設置される平滑光遮断面を有することを特徴とする、請求項１８に記載の灯具用リフレクター構成。
【請求項２０】
前記光遮断板の光遮断面の上方の少なくとも１つの錐状曲面光反射面の錘状上部領域には互いに連接される少なくとも１つの弧状光反射面がさらに設けられることを特徴とする、請求項１８に記載の灯具用リフレクター構成。
【請求項２１】
前記光遮断板の光遮断面の下方の少なくとも１つの錐状曲面光反射面の錘状上部領域にはの互いに連接される少なくとも１つ弧状光反射面がさらに設けられることを特徴とする、請求項１８に記載の灯具用リフレクター構成。
【請求項２２】
前記リフレクターの底部には外側辺に向けて少なくとも１つの装飾用パネルが成型され、且つ前記装飾用パネルには少なくとも１つの警告用光源がさらに増設されることを特徴とする、請求項１８に記載の灯具用リフレクター構成。
【請求項２３】
前記リフレクターの底部は中空円筒状ブラケットの一端面に構設され、前記中空円筒状ブラケットの他端面にはレンズがさらに構設されると共に少なくとも１つの光透過板を有するダストカバー内部に装設されることを特徴とする、請求項１８に記載の灯具用リフレクター構成。
【請求項２４】
前記リフレクターの底部には少なくとも１つの光透過板が構設されることを特徴とする、請求項１８に記載の灯具用リフレクター構成。
【請求項２５】
前記リフレクターの底部には少なくとも１つの発光モジュールが構設されることを特徴とする、請求項１８に記載の灯具用リフレクター構成。
【請求項２６】
前記リフレクターの底部は高さが不均一な構造であることを特徴とする、請求項１８に記載の灯具用リフレクター構成。
【発明の詳細な説明】
【技術分野】
【０００１】
本発明は、灯具用リフレクター構成に関し、更に詳しくは、車両のヘッドライト及び道路照明を投射させる灯具に使用され、灯具照明の長さを制御可能範囲にし、全ての光線を照明が必要な領域範囲に反射させて照明効率を有効的に高める灯具用リフレクター構成に関する。
【背景技術】
【０００２】
図１Ａ及び図１Ｂは、車両のヘッドライト照明に使用される従来の灯具用リフレクター構成の横断面図及び光線経路図を示す。リフレクター（０１）の内表面は光反射面であり、円弧面（００６）及び傾斜面（００７）を有し、ランプ（００２）はリフレクターに予め設けられる貫通孔内に装設され、遮光板（００３）にはリフレクターの円弧面に固定されるブラケット（０１３）が連結される。前記遮光板（００３）は、ランプ（００２）が点灯する際の強い光を対向車のドライバーが直接目視してしまった場合に目が眩むのを回避させる作用を発揮させ、これによりハイビームを使用した際に強い光がドライバーの目に与える影響を解決する。
【０００３】
図１Ａに示すように、ランプ（００２）が点灯するさいの発光中心（００５）には３６０度の範囲の照明用光線が発生し、一部の角度の光線（００９）が遮光板（００３）に遮断され、これらの光線の一部の光線がリフレクターの他の領域に反射されてリフレクターの出射光面の照明領域に反射される。一部の光線は灯具に反射されず、他の部分の角度の光線（０１０）はリフレクターの上部弧状光反射面で反射された後に遮光板（００３）により遮断される。このように、遮光板を有するリフレクターでは灯具の照明効率が大きく低下した。
【０００４】
さらに、図１Ｂはランプ（００２）が点灯する際に、リフレクターにより灯具内部に反射される光線経路を示す。いくつかの光線（０１１）は水平線の下方に向けて照射される光線であり、いくつかの光線（０１２）は水平線の上方に向けて照射される光線である。これらの複数の水平線の上方に向けて照射される光線は、最終的には対向車のドライバーの目に直接照射される。即ち、前述の遮光板（００３）の構造設計では、リフレクターはハイビームが対向車のドライバーの目を眩ませるという重大な問題を完全には解決できていないことを示し、従来の灯具用リフレクター構成は灯具の照明効率が低下する以外にも、重大な問題を完全には解決できない。
【先行技術文献】
【特許文献】
【０００５】
【特許文献１】台湾特許第Ｉ３７８８７１号明細書
【発明の概要】
【発明が解決しようとする課題】
【０００６】
例えば、（特許文献１）に記載されている「リフレクターを有する反射光遮断板を有する車用ヘッドランプ構成」は、車用ライトに反射光遮断板、反射傘及びレンズが設置され、光源の光線は２回の反射と１回の屈折を経て照明領域に届くため、照明効率が理想とは言えないほか、水平線より上に照射される光線は、対向車とすれ違うさいに対向車に強い光が照射されてしまうといった問題が依然存在する。この種の欠点は前記特許案では光源及び光反射区の間に中空筒状の集光器を増設させることで改善させているが、ただし、機構全体が巨大化する上に照明効率がさらに低下し、理想的な解決方式とは言えなかった。
【０００７】
そこで、本発明者は上記の欠点が改善可能と考え、鋭意検討を重ねた結果、合理的設計で上記の課題を効果的に改善する本発明の提案に到った。
【０００８】
本発明は、このような従来の問題に鑑みてなされたものである。上記課題解決のため、本発明は、外に向けて投射される光線が対向車のドライバーに与える影響を回避できる灯具用リフレクター構成を提供することを目的の一とする。
【０００９】
本発明の他の目的は、照明が必要な領域の範囲に対して灯具の照明の長さ及び幅を有効的に制御可能な灯具用リフレクター構成を提供することである。
【００１０】
本発明のさらなる他の目的は、灯具の照明効率を有効的に高める灯具用リフレクター構成を提供することである。
【課題を解決するための手段】
【００１１】
上述した課題を解決し、目的を達成するために、本発明に係る灯具用リフレクター構成は、リフレクターの内部に装設されて照明用光線を発生させる少なくとも１つの光源を少なくとも備え、前記リフレクターは少なくとも１つの光遮断板及びリフレクター本体が結合されることで形成される。前記少なくとも１つの光遮断板の内側表面は、前記光源により投射される光線の光遮断面となる少なくとも１つの平滑面設を有し、前記少なくとも１つの光遮断面は水平に設置される平滑面、傾斜角度をつけて設置される平滑面或いは水平に設置されると共に傾斜角度をつけて設置される平滑面であり、前記傾斜角度は９０度及び９０度以下の傾斜幅を含む。前記光遮断板の少なくとも１つの光遮断面には前記光遮断面に垂直になる光遮断板の外側表面方向に向けて少なくとも１つの光反射面が成型され、前記光反射面は光源により投射された光線を前記光遮断板の内側に向けて反射させ、或いは光源により投射された光線をリフレクターの外部に向けて照射させる。前記光遮断板には少なくとも１つの位置決め構成が設けられて光源、リフレクター本体或いは外付け部材が構設される。前記リフレクター本体は上述の光遮断板の光遮断面に結合され、前記光遮断板光反射面により反射された光線及び光源により直接投射された光線を反射させる異なる傾斜角度を有する複数の光反射内表面が設けられ、前記光遮断板光反射面により反射された光線及び光源により直接投射された光線がリフレクターの外部に向けて反射されて所定の角度の照明用光線となり、前記リフレクター本体には少なくとも１つの位置決め構成が設けられて光源、光遮断板或いは外付け部材が構設される。前記光遮断板の光遮断面により前記光源がリフレクターの周辺に照射させる光線が遮断され、前記リフレクターに周辺３６０度の封鎖構造を形成させる。前記光遮断板の光遮断面に成型される光反射面及び前記リフレクター本体の光反射内表面は完全な対称構造ではない。
【００１２】
本発明の好ましい実施形態では、前記光源は電球、ランプ或いは発光ダイオードである。
【００１３】
本発明の好ましい実施形態では、前記光源は垂直、横方向或いは斜め方向に設置される。
【００１４】
本発明の好ましい実施形態では、前記光遮断板の光遮断面に成型される光反射面は少なくとも１つの弧状面或いは少なくとも１つの曲面であり、前記曲面は円錐曲面、部分的な錘状曲面、放物線曲面、部分的な楕円曲面及び不規則曲面等を含み、複数の弧状面或いは曲面が連接されることで構成される。前記少なくとも１つの弧状面或いは少なくとも１つの曲面は光遮断板の内側或いはリフレクターの外部に向けて所定の角度で光線を反射させる。
【００１５】
本発明の好ましい実施形態では、前記光遮断板の光遮断面に成型される光反射面は少なくとも１つの錐状曲面光反射面であり、前記各錐状曲面光反射面は異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜される。前記錐状曲面光反射面はリフレクターの外部に向けて所定の角度で光線を反射させる。
【００１６】
本発明の好ましい実施形態では、前記光遮断板の光遮断面に成型される光反射面は少なくとも１つの弧状面であり、且つ前記弧状面の前方には同一の光遮断面に同一の方向に少なくとも１つの錐状曲面光反射面がさらに成型され、前記弧状面及び錐状曲面光反射面は互いに連接されるか、或いは連接されない。前記各錐状曲面光反射面は異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜される。前記弧状面は光遮断板の内側に向けて光線を反射させ、前記錐状曲面光反射面はリフレクターの外部に向けて所定の角度で光線を反射させる。
【００１７】
本発明の好ましい実施形態では、前記光遮断板の光遮断面に成型される光反射面は少なくとも１つの弧状面であり、且つ前記弧状面の前方には同一の光遮断面に同一の方向に少なくとも１つの錐状曲面光反射面がさらに成型される。前記錐状曲面光反射面は光遮断板の中間の垂直平滑光遮断面の一側辺にのみ位置され、前記弧状面及び錐状曲面光反射面は互いに連接され、前記光遮断板の中間の垂直平滑光遮断面は前記錐状曲面光反射面の一端面に連接される。前記各錐状曲面光反射面は異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜される。前記弧状面は光遮断板の内側に向けて光線を反射させ、前記錐状曲面光反射面はリフレクターの外部に向けて所定の角度で光線を反射させる。
【００１８】
本発明の好ましい実施形態では、前記光遮断板の光遮断面に成型される光反射面は少なくとも１つの弧状面であり、且つ前記弧状面の前方には電磁石に連結される可動式光遮断面がさらに設けられ、前記可動式光遮断面には光遮断板の外側表面方向に向けて少なくとも１つの錐状曲面光反射面が成型される。前記各錐状曲面光反射面には異なる傾斜角度を有する複数の弧状傾斜面が連接されることで曲面が構成され、前記各弧状傾斜面は縦方向の傾斜角度がリフレクターの底部から前記錐状曲面光反射面の錘状上部に向けて偏向しながらリフレクターの上部の内側に傾斜される。前記弧状面は光遮断板の内側に向けて光線を反射させ、前記錐状曲面光反射面はリフレクターの外部に向けて所定の角度で光線を反射させる。
【００１９】
本発明の好ましい実施形態では、前記リフレクター本体は少なくとも１つの錐状曲面光反射面で構成され、前記各錐状曲面光反射面には異なる傾斜角度を有する複数の弧状傾斜面が連接されることで曲面が構成され、前記各弧状傾斜面の縦方向の傾斜角度はリフレクターの底部から前記前記錐状曲面光反射面の錘状上部に向けて偏向しながらリフレクターの上部の内側に傾斜してゆき、前記リフレクター本体の上方の表面の二側辺は外側方向に向けて少なくとも１つの平面が各々延伸される。
【００２０】
本発明の好ましい実施形態では、前記リフレクター本体は弧状面及び少なくとも１つの錐状曲面光反射面で構成され、前記弧状面はリフレクター本体の上部領域に位置し、前記錐状曲面光反射面は前記弧状面の前方に連接され、前記各錐状曲面光反射面は異なる傾斜角度を有する複数の弧状傾斜面が連接されることで曲面が構成される。前記各弧状傾斜面の縦方向の傾斜角度はリフレクターの底部から前記前記錐状曲面光反射面の錘状上部に向けて偏向しながらリフレクターの上部の内側に傾斜してゆき、前記リフレクター本体の上方の表面の二側辺は外側方向に向けて少なくとも１つの平面が各々延伸される。
【００２１】
本発明の好ましい実施形態では、前記リフレクター本体は少なくとも１つの上部錐状曲面光反射面、中間半円傾斜面及び少なくとも１つの底部錐状曲面光反射面で構成される階段状光反射面である。前記上部錐状曲面光反射面の各錐状曲面光反射面は異なる傾斜角度を有する複数の弧状傾斜面が連接されることで曲面が構成され、前記各弧状傾斜面の縦方向の傾斜角度は前記中間半円傾斜面の上端から前記前記上部錐状曲面光反射面の錘状上部に向けて偏向しながらリフレクターの上部の内側に傾斜される。前記上部錐状曲面光反射面の底端にはリフレクター本体の底部の外側に向けて傾斜される中間半円傾斜面が延伸され、中間半円傾斜面の底端にはリフレクターの底部の内側に向けて傾斜される少なくとも１つの底部錐状曲面光反射面が連接され、前記各底部錐状曲面光反射面は異なる傾斜角度を有する複数の弧状傾斜面が連接されることで曲面が構成され、前記各弧状傾斜面の縦方向の傾斜角度は前記中間半円傾斜面の底端から前記前記底部錐状曲面光反射面の錘状上部に向けて偏向しながらリフレクターの底部の内側に向けて傾斜してゆき、前記リフレクター本体の上方の表面二側辺には外側方向に向けて少なくとも１つの平面が各々延伸される。
【００２２】
本発明の好ましい実施形態では、前記リフレクターは少なくとも１つの光透過板を有するダストカバーの内部に装設される。
【００２３】
本発明の好ましい実施形態では、前記リフレクターの外表面は平滑面であるか、或いは複数の放熱用フィン状突起物を有する。
【００２４】
本発明の好ましい実施形態では、前記リフレクターは底部に外側辺に向けて少なくとも１つの装飾用パネルが成型され、装飾用パネルには少なくとも１つのターン警告、霧警告及び車幅警告等のランプ或いはＬＥＤ光源がさらに増設される。
【００２５】
本発明の好ましい実施形態では、前記リフレクターの光遮断板及びリフレクター本体の前記位置決め構成に構設される外付け部材は少なくとも１つの発光モジュール、光透過板、ダストカバー、格子或いはレンズである。
【００２６】
本発明の好ましい実施形態では、前記リフレクターの光遮断板及びリフレクター本体の位置決め構成は貫通孔、凹型溝或いは突出状である少なくとも１つの位置決め部材と、貫通孔を有する凸部位置決め部材とを備える。
【００２７】
本発明の好ましい実施形態では、前記リフレクターの底部は高さが不均一な構造に切断され、底部に傾斜面、弧状面或いは不規則面の切欠きが形成される。
【００２８】
本発明の好ましい実施形態では、前記リフレクターは上下方向に１８０度回転され、且つ少なくとも１つの光透過板を有するダストカバー内部に装設される。
【００２９】
本発明の好ましい実施形態では、前記前記リフレクターの底部は中空円筒状ブラケットの一端面に構設され、前記中空円筒状ブラケットの他端面にはレンズがさらに構設される。また、上下方向に１８０度回転され、且つ少なくとも１つの光透過板を有するダストカバー内部に装設される。前記レンズは平凸レンズ、凹凸レンズ、両凸レンズ或いは不規則レンズである。
【００３０】
本発明の好ましい実施形態では、前記光遮断板の内表面には少なくとも１つの水平に設置される光遮断面及び少なくとも１つの垂直に設置される高さが不均一な光遮断面が設けられ、前記垂直に設置される高さが不均一な光遮断面は前記光遮断板の底部領域の内表面に位置されると共に上述の水平に設置される光遮断面の下方に垂直になる。
【００３１】
本発明の好ましい実施形態では、本発明は灯具用リフレクター構成をさらに提供し、リフレクターの内部に装設されて照明用光線を発生させる少なくとも１つの光源を少なくとも備える。前記リフレクターは複数の光反射内表面を有する光遮断板で構成され、前記光遮断板は、前記光源により投射される光線の光遮断面として設けられる少なくとも１つの平滑表面を有し、且つ前記光遮断面には前記光遮断面に垂直になる上方及び下方に向けて少なくとも１つの錐状曲面光反射面が各々成型され、前記各錐状曲面光反射面には異なる傾斜角度を有する複数の弧状傾斜面が連接されることで曲面が各々構成される。前記各弧状傾斜面の縦方向の傾斜角度はリフレクターの底部から前記前記錐状曲面光反射面の錘状上部に向けて偏向しながらリフレクターの上部の内側に傾斜してゆき、前記光遮断面に上方及び下方に向けて各々成型される錐状曲面光反射面は非対称構造である。前記リフレクターの上端には貫通孔を有する凸部位置決め部材等の少なくとも１つの位置決め構成が設けられて前記光源が装設され、前記リフレクターには位置決め部材等の少なくとも１つの位置決め構成が設けられて外付け部材が構設される。前記光遮断板の光遮断面は前記光源によりリフレクターの周辺に照射される光線を遮断させ、前記リフレクターに周辺３６０度の封鎖構造が形成される。
【００３２】
本発明の好ましい実施形態では、前記光遮断板は少なくとも１つの水平に設置される平滑光遮断面及び少なくとも１つの傾斜して設置される平滑光遮断面を有し、前記傾斜して設置される平滑光遮断面は９０度及び９０度以下の傾斜幅を含む。
【００３３】
本発明の好ましい実施形態では、前記光遮断板の光遮断面の上方に向けて成型される少なくとも１つの錐状曲面光反射面の錘状上部領域には同一の光遮断面に上方に向けて成型される少なくとも１つの弧状光反射面がさらに設けられ、前記少なくとも１つの錐状曲面光反射面及び少なくとも１つの弧状光反射面は互いに連接される。
【００３４】
本発明の好ましい実施形態では、前記光遮断板の光遮断面の上方及び下方に向けて各々成型される少なくとも１つの錐状曲面光反射面の錘状上部領域には同一の光遮断面に上方及び下方に向けて各々成型される少なくとも１つの弧状光反射面がさらに設けられ、前記光遮断面に上方及び下方に向けて各々成型される少なくとも１つの錐状曲面光反射面及び少なくとも１つの弧状光反射面は互いに連接される。
【００３５】
本発明の好ましい実施形態では、前記リフレクターは少なくとも１つの光透過板を有するダストカバーの内部に装設される。さらに、前記リフレクターの底部は中空円筒状ブラケットの一端面に構設され、前記中空円筒状ブラケットの他端面にはレンズが構設され、前記レンズは平凸レンズ、凹凸レンズ、両凸レンズ或いは不規則レンズである。
【００３６】
本発明の好ましい実施形態では、前記リフレクターは底部に外側辺に向けて少なくとも１つの装飾用パネルが成型され、装飾用パネルには少なくとも１つのターン警告、霧警告及び車幅警告等のランプ或いはＬＥＤ光源がさらに増設される。
【００３７】
本発明の好ましい実施形態では、前記リフレクターの少なくとも１つの位置決め構成に構設される外付け部材は少なくとも１つの発光モジュール、光透過板、ダストカバー、格子或いはレンズである。
【００３８】
本発明の好ましい実施形態では、前記リフレクターの位置決め構成は貫通孔、凹型溝或いは突出状である少なくとも１つの位置決め部材と、貫通孔を有する凸部位置決め部材とを備える。
【００３９】
本発明の好ましい実施形態では、前記リフレクターの底部は高さが不均一な構造に切断され、底部には傾斜面、弧状面或いは不規則面の切欠きが形成される。
【発明の効果】
【００４０】
本発明に係る灯具リフレクターは、特に車やバイク等の自動車両のヘッドライトに適用される灯具リフレクターであり、前記光源により発せられた全ての光線を有効的な照明用光線に変換させ、灯具の光線が対向車のドライバーの目に直接照射されないようにする。道路照明に運用される場合、路肩のガードレールに装設されるのみであり、資源の浪費を有効的に減少させ、メンテナンスコストを低下させ、特殊な照明の予期される効果を確実に達成する。
【図面の簡単な説明】
【００４１】
【図１Ａ】従来の車灯具用リフレクター及びランプを示す構成図である。
【図１Ｂ】従来の車灯具用リフレクター及びランプを示す構成図である。
【図２Ａ】本発明の第１実施形態によるリフレクターである。
【図２Ｂ】本発明の第１実施形態によるリフレクターである。
【図３Ａ】本発明の第２実施形態によるリフレクターである。
【図３Ｂ】本発明の第２実施形態によるリフレクターである。
【図４Ａ】本発明の第３実施形態によるリフレクターである。
【図４Ｂ】本発明の第３実施形態によるリフレクターである。
【図５Ａ】本発明の第４実施形態によるリフレクターである。
【図５Ｂ】本発明の第４実施形態によるリフレクターである。
【図６Ａ】本発明の第５実施形態によるリフレクターである。
【図６Ｂ】本発明の第６実施形態によるリフレクターである。
【図６Ｃ】本発明の第７実施形態によるリフレクターである。
【図６Ｄ】本発明の第８実施形態によるリフレクターである。
【図７Ａ】本発明の第９実施形態によるリフレクターである。
【図７Ｂ】本発明の第９実施形態によるリフレクターである。
【図８Ａ】本発明の第１実施形態及び第９実施形態による光線経路図である。
【図８Ｂ】本発明の第１実施形態及び第９実施形態による光線経路図である。
【図９Ａ】本発明の第１０実施形態によるリフレクターである。
【図９Ｂ】本発明の第１０実施形態によるリフレクターである。
【図１０Ａ】本発明の第１１実施形態によるリフレクターである。
【図１０Ｂ】本発明の第１２実施形態によるリフレクターである。
【図１０Ｃ】本発明の第１３実施形態によるリフレクターである。
【図１０Ｄ】本発明の第１４実施形態によるリフレクターである。
【図１１Ａ】本発明の第１５実施形態によるリフレクターである。
【図１１Ｂ】本発明の第１６実施形態によるリフレクターである。
【図１２】本発明の第１７実施形態によるリフレクターである。
【図１３Ａ】本発明の第１８実施形態によるリフレクターである。
【図１３Ｂ】本発明の第１９実施形態によるリフレクターである。
【図１４Ａ】本発明の灯具用リフレクター構成が第１実施形態及び第２実施形態に用いられる。
【図１４Ｂ】本発明の灯具用リフレクター構成が第１実施形態及び第２実施形態に用いられる状態図である。
【図１５】本発明の灯具用リフレクター構成が第３実施形態に用いられる状態図である。
【図１６】本発明の第２０実施形態によるリフレクターである。
【発明を実施するための形態】
【００４２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００４３】
第１実施形態
図２Ａ及び図２Ｂは本発明の第１実施形態によるリフレクター構成であり、リフレクター（Ａ０１）の内表面は光反射面であり、リフレクター本体（２０１）及び光遮断板（２０２）の２つの部材で構成され、リフレクター（Ａ０１）の内部には電球、ランプ或いはＬＥＤ等の光源（２１４）が装設され、光遮断板（２０２）は光線の光遮断面（２０９）となる少なくとも１つの平滑表面を有する。本実施形態では、前記光遮断面（２０９）は光遮断板（２０２）の内表面に位置されて水平に設置される平滑面となり、且つ光遮断面（２０９）には光遮断面（２０９）に垂直になる光遮断板の外表面方向に向けて弧状光反射面（２１０）が成型され、弧状光反射面（２１０）は光源（２１４）により投射される光線を光遮断板（２０２）の内側方向に向けて反射させ、光遮断面（２０９）は光源（２１４）の弧状光反射面（２１０）の辺縁の平面領域に照射される光線を遮断させる（即ち、リフレクターの周辺に照射される光線の遮断）。弧状光反射面（２１０）の一側辺には貫通孔を有する凸部位置決め部材（２１１）等の位置決め構成が設けられ、光遮断板（２０２）の二側辺には２つの位置決め部材（２１２）（２１３）等の位置決め構成が設けられてリフレクター本体（２０１）に構設され、図では２つの貫通孔であり、実際の運用では凹型溝或いは突出状等の形式でもよい。リフレクター本体（２０１）は光遮断板（２０２）の光遮断面（２０９）に装設され、少なくとも１つの錐状曲面光反射面（２２０）で構成され、異なる傾斜角度を有する複数の弧状傾斜面（２２０ａ）（２２０ｂ）（２２０ｃ）〜（２２０ｚ）が連接されることで曲面が構成される。各弧状傾斜面の縦方向の傾斜角度はリフレクターの底部（弧状傾斜面２２０ａを指す）から錐状曲面光反射面（２２０）の錘状上部（弧状傾斜面２２０ｚを指す）に向けて偏向しながらリフレクターの上部の内側に傾斜してゆき、上端には貫通孔を有する凸部位置決め部材（２０８）が設けられて光遮断板（２０２）の上端の凸部位置決め部材（２１１）と組み合わされて光源（２１４）の貫通及び固定に用いられる。また、上方の表面の二側辺は外側に向けて平面（２２２）（２２３）が各々延伸され、平面には２つの位置決め部材（２０３）（２０４）等の位置決め構成が設けられて光遮断板（２０２）に構設され、図では２つの貫通孔であり、実際の運用では凹型溝或いは突出状等の形式でもよく、且つ外側表面には貫通孔を有する凸部位置決め部材（２０６）（２０７）等の位置決め構成がさらに設けられてダストカバー等の外付け部材（図示せず）に構設される。本実施形態によると、前記光源（２１４）はランプであり、上述の弧状光反射面（２１０）の下方に横方向に装設され、リフレクター（Ａ０１）は製品の需要に基づいて上下に１８０度回転するように光透過板を有するダストカバー内部に装設されて使用される。
【００４４】
第２実施形態
図３Ａ及び図３Ｂは本発明の第２実施形態によるリフレクター構成であり、リフレクター（Ａ０２）は複数の光反射面を有する光遮断板（３０２）で構成され、上方の表面は水平に設置される平滑面が光線光遮断面（３０９）として設けられ、且つ光遮断面（３０９）には光遮断面（３０９）に垂直になり上方に向けて少なくとも１つの錐状曲面光反射面（３２０）が成型され、下方に向けて少なくとも１つの錐状曲面光反射面（３２１）が成型される。錐状曲面光反射面（３２０）は異なる傾斜角度を有する複数の弧状傾斜面（３２０ａ）（３２０ｂ）（３２０ｃ）〜（３２０ｚ）が連接されることで曲面が構成され、各弧状傾斜面の縦方向の傾斜角度はリフレクターの底部（弧状傾斜面３２０ａを指す）から錐状曲面光反射面（３２０）の錘状上部（弧状傾斜面３２０ｚを指す）に向けて偏向しながらリフレクターの上部の内側に傾斜してゆき、錐状曲面光反射面（３２１）に構成される構造は図２の錐状曲面光反射面（２２０）と同じであり、２つの錐状曲面光反射面（３２０）（３２１）は大きさが非対称な構造である。光遮断面（３０９）は２つの錐状曲面光反射面（３２０）（３２１）の二側辺の隙間に向けて照射される光線を遮断させ、リフレクター（Ａ０２）が周辺３６０度を全て封鎖させる構造となり、リフレクター（Ａ０２）の上端には貫通孔を有する凸部位置決め部材（３０８）が設けられて光源（３１４）の貫通及び固定に用いられ、且つ外側辺には貫通孔を有する凸部位置決め部材（３０６）（３０７）がさらに設けられて外付け部材（図示せず）が構設される。本実施形態によれば、前記光源（３１４）はランプであり、リフレクター（Ａ０２）の上端内部に横方向に装設され、製品の需要によっては斜め方向に装設されてもよい。
【００４５】
第３実施形態
図４Ａ及び図４Ｂは本発明の第３実施形態によるリフレクター構成であり、リフレクター（Ａ０３）は複数の光反射面を有する光遮断板（４０２）で構成され、下方の表面は水平に設置される平滑面であり光線光遮断面（４０９）として設けられ、且つ光遮断面（４０９）には光遮断面（４０９）に垂直になり上方に向けて少なくとも１つの弧状光反射面（４１０）が成型される。弧状光反射面（４１０）は光源により投射される光線を光遮断板（４０２）の内側に向けて反射させ、弧状光反射面（４１０）の前方の同一の光遮断面（４０９）には上方に向けて連接される少なくとも１つの錐状曲面光反射面（４２０）がさらに成型され、図３の錐状曲面光反射面（３２０）と同じ構造を構成させる。光遮断面（４０９）には光遮断面（４０９）に垂直になり下方に向けて少なくとも１つの錐状曲面光反射面（４１５）が成型されて図２の錐状曲面光反射面（２２０）と同じ構造を構成させる。２つの錐状曲面光反射面（４１５）（４２０）は大きさが非対称な構造であり、光遮断面（４０９）は２つの錐状曲面光反射面（４１５）（４２０）の二側辺の隙間及び弧状光反射面（４１０）の辺縁の平面領域に向けて照射される光線を遮断させ、リフレクター（Ａ０３）が周辺３６０度を全て封鎖させる構造となる。リフレクター（Ａ０３）の上端には貫通孔を有する凸部位置決め部材（４０８）が設けられて光源（４１４）の貫通及び固定に用いられ、且つ外側辺には貫通孔を有する凸部位置決め部材（４０６）（４０７）がさらに設けられて外付け部材（図示せず）が構設される。本実施形態では、前記光源（４１４）はランプであり、リフレクター（Ａ０３）の上端内部に横方向に装設される。製品の需要に応じて光遮断面（４０９）に下方に向けて少なくとも１つの弧状光反射面及び少なくとも１つの錐状曲面光反射面が成型されてもよく、上方及び下方の弧状光反射面は対称或いは非対称な構造であり、ただし、上方及び下方の錐状曲面光反射面は非対称な構造でなければならない。
【００４６】
第４実施形態
図５Ａ及び図５Ｂは本発明の第４実施形態によるリフレクター構成であり、リフレクター（Ａ０４）はリフレクター本体（５０１）及び光遮断板（５０２）の２つの部材で構成され、光遮断板（５０２）の内表面は水平に設置される平滑面であり光線光遮断面（５０９）として設けられ、且つ光遮断面（５０９）には上方（光遮断板の外表面を指す）の方向に向けて少なくとも１つの弧状光反射面（５１０）が成型される。弧状光反射面（５１０）は光源により投射される光線を光遮断板（５０２）の内側に向けて反射させ、一側辺には貫通孔を有する凸部位置決め部材（５１１）が設けられ、弧状光反射面（５１０）の前方の同一の光遮断面（５０９）の上辺の半分には向上方に向けて連接される少なくとも１つの錐状曲面光反射面（５２０）が成型され、光源により投射される光線をリフレクター（Ａ０４）の外部に向けて照射させる。本実施形態に係る錐状曲面光反射面（５２０）は光遮断板（５０２）の中間の辺の半分にのみ位置され、錐状曲面光反射面（５２０）により構成される構造は図３の錐状曲面光反射面（３２０）と同じである。光遮断板（５０２）の中間には垂直平滑面（５３１）を有し、錐状曲面光反射面（５２０）の一端面が封鎖構造となる。垂直平滑面（５３１）の内表面は光遮断面（５３２）であり、光遮断板（５０２）には貫通孔である少なくとも１つの位置決め部材（５１２）（５１３）が設けられる。リフレクター本体（５０１）は光遮断板（５０２）の光遮断面（５０９）に構設され、２つの錐状曲面光反射面（５１５）（５１６）で構成され、各錐状曲面光反射面により図２の錐状曲面光反射面（２２０）と同じ構造が構成される。リフレクター本体（５０１）の上端には貫通孔を有する凸部位置決め部材（５０８）が設けられて光源（５１４）の貫通及び固定に用いられ、且つ上方の表面の二側辺には外側辺に向けて平面（５２２）（５２３）が各々延伸され、平面には貫通孔である少なくとも１つの位置決め部材（５０３）（５０４）が設けられて光遮断板（５０２）に構設され、外側表面には貫通孔を有する凸部位置決め部材（５０６）（５０７）がさらに設けられて外付け部材（図示せず）が構設される。本実施形態によると、前記光源（５１４）はランプであり、リフレクター（Ａ０４）の上端内部に横方向に装設される。
【００４７】
第５〜８実施形態
図６Ａから図６Ｄは本発明の第５実施形態から第８実施形態によるリフレクター構成であり、リフレクターは共に光遮断板及びリフレクター本体の２つの部材で構成される。図６Ａのリフレクター（Ａ０５）は光遮断板（６０１）を有し、内表面は水平に設置される平滑面が光線光遮断面（６２１）として設けられ、且つ光遮断面（６２１）には上方に向けて少なくとも１つの円錐曲面光反射面（６０５）が成型され、少なくとも１つの発光ダイオード光源（６０６）は円錐曲面光反射面（６０５）の上部内表面に装設され、円錐曲面光反射面（６０５）の上部には貫通孔が設けられてランプの光源或いは発光ダイオードモジュールを垂直方向に装設させる。光遮断板（６０１）の外表面には複数のフィン状突起物（６３１）が成型されて発光ダイオード光源（６０６）の放熱機能を担い、二側辺には貫通孔である少なくとも１つの位置決め部材（６５５）（６５６）が各々設けられ、リフレクター本体（６５１）は少なくとも１つの錐状曲面光反射面（６６２）で構成され、図２の錐状曲面光反射面（２２０）と同じ構造が構成される。上方の表面の二側辺には平面が各々延伸されると共に貫通孔である少なくとも１つの位置決め部材（６５７）（６５８）が設けられ、外表面には貫通孔を有する凸部位置決め部材（６５９）（６６０）（６６１）がさらに設けられ、実際の運用では、リフレクター本体（６５１）の外表面には複数のフィン状放熱構造が成型されてもよい。図６Ｂのリフレクター（Ａ０６）の光遮断板（６０２）を有する内表面は水平に設置される平滑面が光線光遮断面（６２２）として設けられ、且つ光遮断面（６２２）には少なくとも１つの弧状光反射面（６０７）が成型され、弧状光反射面（６０７）の上端には貫通孔を有する凸部位置決め部材（６０８）が設けられ、ランプ光源（６１０）は垂直方向にリフレクター（Ａ０６）の内部に装設され、リフレクター本体（６５２）が図６Ａのリフレクター本体（６５１）と同じ構造を構成させる。図６Ｃのリフレクター（Ａ０７）は光遮断板（６０３）を有し、内表面は水平に設置される平滑面であり光線光遮断面（６２３）として設けられ、且つ光遮断面（６２３）には上方に向けて２つの弧状光反射面（６１２）（６３２）が成型され、同じ円心であるか、或いは同じ円心ではなく、本実施の図によると、１つの大きい同じ円心の弧状面及び１つの小さい同じ円心の弧状面であり、弧状光反射面（６３２）の一側辺には貫通孔を有する凸部位置決め部材（６１３）が設けられて光源（６１４）が横方向に貫通されると共に固定される。２つの弧状光反射面（６１２）（６３２）の上部には貫通孔を有する凸部位置決め部材が設けられてランプ光源が垂直方向に装設され、リフレクター本体（６５３）が図６Ａのリフレクター本体（６５１）と大方同じ構造を構成させ、差異は、上端に貫通孔を有する凸部位置決め部材（６６４）が設けられてランプ光源が装設される点である。図６Ｄのリフレクター（Ａ０８）は光遮断板（６０４）を有し、内表面は水平に設置される平滑面であり光線光遮断面（６２４）として設けられ、且つ光遮断面（６２４）には上方に向けて曲面及び弧状面を有して構成される不規則光反射面（６１５）が成型され、少なくとも１つの曲面（６１６）及び２つの弧状光反射面（６１７）（６２０）で構成される。前記曲面（６１６）は異なる傾斜角度を有する複数の弧状傾斜面或いは曲面により曲面光反射面が構成され、曲面（６１６）の一側辺には貫通孔を有する凸部位置決め部材（６１８）が設けられて光源（６１９）が横方向に貫通されると共に固定され、リフレクター本体（６５４）が図６Ｃのリフレクター本体（６５３）と同じ構造を構成させる。
【００４８】
第９実施形態
図７Ａ及び図７Ｂは本発明の第９実施形態によるリフレクター構成であり、リフレクター（Ａ０９）はリフレクター本体（７０１）及び光遮断板（７０２）の２つの部材で構成され、光遮断板（７０２）の内表面は水平に設置される平滑面であり光線光遮断面（７０９）として設けられ、且つ光遮断面（７０９）には上方に向けて弧状光反射面（７１０）が成型され、弧状光反射面（７１０）の一側辺には貫通孔を有する凸部位置決め部材（７１１）が設けられる。弧状光反射面（７１０）は光源により投射される光線を光遮断板（７０２）の内側に向けて反射させ、弧状光反射面（７１０）の前方の同一の光遮断面（７０９）には上方に向けて連接される少なくとも１つの錐状曲面光反射面（７２０）がさらに成型される。本実施図に示すように、弧状光反射面（７１０）及び錐状曲面光反射面（７２０）が互いに連接され、製品の需要によっては互いに連接されない構造でもよく、錐状曲面光反射面（７２０）は光源により投射される光線をリフレクター（Ａ０９）の外部に向けて照射させ、錐状曲面光反射面（７２０）は図４の錐状曲面光反射面（４２０）とほぼ同じ構造を構成させ、光遮断板（７０２）には貫通孔である少なくとも１つの位置決め部材（７１２）（７１３）が設けられる。リフレクター本体（７０１）は光遮断板（７０２）の光遮断面（７０９）に結合され、リフレクター本体（７０１）には上部錐状曲面光反射面（７２２）、底部錐状曲面光反射面（７２１）及び中間半円傾斜面（７０４）により階段状光反射面が構成される。上部錐状曲面光反射面（７２２）は異なる傾斜角度を有する複数の弧状傾斜面（７２２ａ）（７２２ｂ）（７２２ｃ）〜（７２２ｚ）が連接されることで曲面が構成され、各弧状傾斜面の縦方向の傾斜角度は中間半円傾斜面（７０４）の上端（弧状傾斜面７２２ａを指す）から上部錐状曲面光反射面（７２２）の錘状上部（弧状傾斜面７２２ｚを指す）に向けて偏向しながらリフレクターの上部の内側に傾斜してゆき、錘状上部には貫通孔を有する凸部位置決め部材（７０８）が設けられてランプ光源（７１４）の貫通及び固定に用いられる。中間半円傾斜面（７０４）は上部錐状曲面光反射面（７２２）の底端にリフレクターの底部の外側に向けて傾斜される半円傾斜面が延伸され、中間半円傾斜面（７０４）の底端は底部錐状曲面光反射面（７２１）の底端にさらに連接され、異なる傾斜角度を有する複数の弧状傾斜面（７２１ａ）（７２１ｂ）（７２１ｃ）〜（７２１ｚ）が連接されることで曲面が構成され、前記各弧状傾斜面の縦方向の傾斜角度は中間半円傾斜面（７０４）の底端（弧状傾斜面７２１ａを指す）から底部錐状曲面光反射面（７２１）の錘状上部（弧状傾斜面７２１ｚを指す）に向けて偏向しながらリフレクターの底部の内側に傾斜してゆく。リフレクター本体（７０１）の上方の表面は外側方向に向けて少なくとも１つの平面が各々延伸されると共に貫通孔である少なくとも１つの位置決め部材（７５１）（７５２）が設けられて光遮断板（７０２）に構設され、外側表面には貫通孔を有する凸部位置決め部材（７０６）（７０７）がさらに設けられて外付け部材が構設される（図示せず）。本実施形態によれば、前記光源（７１４）はランプであり、リフレクター（Ａ０９）の上端内部に横方向に装設される。
【００４９】
図Ａは本発明の第１実施形態のリフレクターの反射による光線経路図であり、リフレクター（Ａ０１）の上部に装設される光源（２１４）が上半部の１８０度の弧状光反射面（２１０）に光線（８３１）を照射させ、全ての光線が下方のリフレクター本体（２０１）に反射され、異なる角度で右側方向の照明領域にさらに反射される。光源により直射される光線（８３５）（８３９）、或いはリフレクター本体を経由して反射される光線（８３２）（８３３）（８３４）（８３６）（８３７）（８３８）はどちらも所定の角度で照射される。また、図８Ｂは本発明の第９実施形態のリフレクターの反射による光線経路図であり、リフレクター（Ａ０９）の上部に装設される光源（７１４）の光線の内の上部錐状曲面光反射面（７２２）に照射される光線（８４１）（８４２）は、異なる角度でリフレクターの外部の照明領域に向けて反射され、底部錐状曲面光反射面（７２１）に照射される光線（８４３）（８４４）は、上方に向けて光遮断板（７０２）に成型される錐状曲面光反射面（７２０）に反射された後、照明領域に反射され、全ての光線が所定の角度で反射されて照射される。
【００５０】
第１０実施形態
図９Ａ及び図９Ｂは本発明の第１０実施形態によるリフレクター構成であり、リフレクター（Ａ１０）の内表面は光反射面であり、本実施形態は図７Ａ及び図７Ｂの構造に相似し、リフレクターは光遮断板（Ｃ０１）及びリフレクター本体（Ｃ０２）の２つの部材を備え、差異は、光遮断板（Ｃ０１）に設けられる光遮断面（９０２）が可動式である点である。リフレクター本体（Ｃ０２）が図７のリフレクター本体（７０１）と完全に同じ構造を構成させ、光遮断板（Ｃ０１）は水平に設置される平滑光遮断面（９０１）に不規則光反射面（９０３）が成型され、少なくとも２つの弧状面（９０４）（９０５）で構成される。実際の運用では、不規則光反射面（９０３）は少なくとも１つの曲面で構成されてもよく、弧状面（９０４）の一側辺は貫通孔を含む位置決め構成（９０６）を有すると共に光源、貫通孔を含む２つの柱状体（９０７）（９０８）及びブラケット（９０９）が装設され、ブラケット（９０９）の中央の内側には電磁石（９１０）が装設され、他の可動式光遮断面（９０２）には錐状曲面光反射面（９１１）が成型され、図３の錐状曲面光反射面（３２０）と同じ構造が構成される。貫通孔を含む２つのＬ状柱状体（９１２）（９１３）及び錐状曲面光反射面（９１１）の外側には貫通孔を含む突起部（９１４）が成型され、光遮断面（９０２）の２つのＬ状柱状体（９１２）（９１３）は光遮断面（９０１）の２つの柱状体（９０７）（９０８）に可動に装設され、光遮断面（９０２）の錐状曲面光反射面（９１１）の外側に成型される突起部（９１４）は電磁石（９１０）の伸縮ロッド（９１５）に可動に装設される。これにより、構造は光遮断面（９０２）が仰角の角度が改変される可動装置となり、錐状曲面光反射面（９１１）を経て反射される光線は照射距離が任意で改変可能になり、リフレクターが車両のヘッドライトに運用される場合、ハイビーム或いはロービームの切換機能を達成させる。図によると、光遮断面（９０２）が可動装置であることを主に強調しており、より簡易な構造で同じ作用を達成するものも同じ効果を有する代替構造に属する。
【００５１】
第１１〜１４実施形態
図１０Ａから図１０Ｄは本発明の第１１実施形態から第１４実施形態によるリフレクター構成であり、図１０Ａのリフレクター（Ａ１１）は光遮断板（１００２）及びリフレクター本体（１００１）の２つの部材で構成され、内側光反射面は図２のリフレクター（Ａ０１）と大方同じ構造を構成させ、差異は、上半部の部材の光遮断板（１００２）の内表面に水平に設置される平滑光遮断面（１００９ａ）及び傾斜角度をつけて設置される平滑光遮断面（１００９ｂ）を有し、２つの光遮断面（１００９ａ）（１００９ｂ）の構造によりリフレクター（Ａ１１）の照明用光線は左辺半分が水平面を呈し、右辺半分がリフレクター（Ａ１１）の中心から右側にかけて水平線の上方に向けて角度をつけて高くなる傾斜面効果を呈する点である。図１０Ｂのリフレクター（Ａ１２）は傾斜角度をつけて設置される光遮断板（１０１２）を有し、上方の表面は傾斜角度をつけて設置される平滑光遮断面（１０１９）となり、且つ傾斜角度をつけて設置される平滑光遮断面（１０１９）には上方及び下方に向けて各々成型される互いに非対称な構造である少なくとも１つの錐状曲面光反射面（１０４１）（１０４２）が設けられる。リフレクター（Ａ１２）の照明用光線に対する作用は上述のリフレクター（Ａ１１）と比べると、左辺半分は幅が狭い水平面を呈し、右辺半分は明るさが増した傾斜面効果を呈する。図１０Ｃのリフレクター（Ａ１３）の内側光反射面は図４のリフレクター（Ａ０３）とほぼ同じ構造を構成させ、差異は、光遮断板（１０２２）の内表面が水平に設置される平滑光遮断面（１０２９ａ）及び傾斜角度をつけて設置される平滑光遮断面（１０２９ｂ）を有する点である。図１０Ｄのリフレクター（Ａ１４）は光遮断板（１０３２）及びリフレクター本体（１０３１）の２つの部材が結合され、図５のリフレクター（Ａ０４）と大体同じ構造を構成させ、差異は、光遮断板（１０３２）が水平に設置される平滑光遮断面（１０３９ａ）及び傾斜角度をつけて設置される平滑光遮断面（１０３９ｂ）を有する点である。
【００５２】
第１５及び１６実施形態
図１１Ａ及び図１１Ｂは本発明の第１５実施形態及び第１６実施形態によるリフレクター構成であり、リフレクター（Ａ１５）の内側光反射面は図４リフレクター（Ａ０３）と大方同じ構造を構成させ、差異は、リフレクター（Ａ１５）の底部に複数の凹型溝位置決め部材（１１０１）（１１０２）（１１０３）〜（１１０６）が設けられ、ＬＥＤ発光モジュール（１１０７）及び外付け部材を結合させると共に定位させる点である。リフレクター（Ａ１６）の内側光反射面は図４のリフレクター（Ａ０３）とほぼ同じ構造を構成させ、差異は、リフレクター（Ａ１６）の底部の外側辺には凹型溝位置決め部材（１１０８）が設けられ、光透過板（１１０９）及び外付け部材を結合させると共に定位させ、前記外付け部材は格子、ダストカバー或いはレンズである点である。
【００５３】
第１７実施形態
図１２は本発明の第１７実施形態によるリフレクターを示す概略図である。リフレクター（Ａ１７）の底部は外側辺に向けて少なくとも１つの装飾用パネル（１２０１）が延伸され、且つ装飾用パネルには少なくとも１つのターン警告灯（１２０２）、霧警告灯（１２０３）及びＬＥＤ車幅警告灯（１２０４）等の機能或いは警告用光源が増設される。本実施形態は図に示すように、リフレクターの主要構造の一部は図２のリフレクター（Ａ０１）と同じであり、他の多くのリフレクターの構造では共に底部には外側辺に少なくとも１つの装飾用パネルが延伸される。
【００５４】
第１８及び１９実施形態
図１３Ａ及び図１３Ｂは本発明の第１８実施形態と第１９実施形態によるリフレクターである。図１３Ａでは、リフレクター（Ａ１８）の底部は左が高く右が低い高さが不均一な面（１３０１）であり、図１３Ｂでは、リフレクター（Ａ１９）の底部は左が低く右が高い高さが不均一な面（１３０２）である。この２つのリフレクターの底部の高さが不均一な面は鏡像対称様式を呈し、主に車の左右二辺の車用ライトの流線型の外観の装飾用パネル（図示せず）の設計に組み合わされるように切断される。前述の本発明の多くの構造では、リフレクターの底部は共に同じ高さであるが、実際の運用では高さが不均一な構造に、各種の装飾用パネル或いはダストカバーが装設されてもよい。
【００５５】
図１４Ａ及び図１４Ｂは本発明の灯具用リフレクター構成が第１実施形態及び第２実施形態に用いられる。灯具（Ｂ０１）はダストカバー（１４０１）を有し、ダストカバー（１４０１）の一側辺には少なくとも１つの光透過板（１４０２）が設置されて光線を貫通させる。本発明に係る灯具リフレクター（Ａ０１）は内部に装設され、灯具（Ｂ０２）はダストカバー（１４０３）を有し、ダストカバー（１４０３）の一側辺には少なくとも１つの光透過板（１４０４）が設置されて光線を貫通させる。本発明に係る灯具リフレクター（Ａ０１）は上下に１８０度回転されるように内部に装設され、ダストカバー（１４０１）（１４０３）には少なくとも１つの貫通孔或いは可動式開閉構造（図示せず）が設けられて光源等の部材の装設及びメンテナンスに利用される。
【００５６】
図１５は本発明の灯具用リフレクター構成が第３実施形態に用いられる状態図である。灯具（Ｂ０３）はダストカバー（１５０１）を有し、ダストカバー（１５０１）の一側辺には少なくとも１つの光透過板（１５０２）が設置されて光線を貫通させる。本発明に係る灯具リフレクター（Ａ０１）は上下に１８０度回転されるように内部に装設される。実際の運用では、リフレクター（Ａ０１）は１８０度回転されないように装設されてもよく、且つリフレクター（Ａ０１）の底部は中空円筒状ブラケット（１５０３）の一端面に構設され、中空円筒状ブラケット（１５０３）の他端面にはレンズ（１５０４）が構設され、ダストカバー（１５０１）には少なくとも１つの貫通孔或いは可動式開閉構造（図示せず）が設けられて光源等の部材の装設及びメンテナンスに利用される。
【００５７】
第２０実施形態
図１６は本発明の第２０実施形態によるリフレクターである。リフレクター（Ａ２０）はリフレクター本体（１６０１）及び光遮断板（１６０２）が組み合わされることで形成され、図２のリフレクター（Ａ０１）と大体同じ構造を構成させ、差異は、光遮断板（１６０２）の内表面の水平に設置される光遮断面（１６０９）は光遮断板（１６０２）の底部の辺縁に下方に向けて光遮断面（１６０９）に垂直になる不均一な壁部（１６１８）がさらに設置され、前記不均一な壁部（１６１８）の内側表面は垂直に設置される第二光遮断面（１６１９）であり、前記第二光遮断面（１６１９）により前記リフレクター（Ａ２０）が反射させる光線が辺の半分が高く辺の半分が低い効果を呈する点である。
【００５８】
上述の複数の実施形態は、図では、各弧状傾斜面は共に説明のために拡大サイズで表示されており、実際の運用では非常に微小な複数の弧状傾斜面が連接されて曲面が構造される。
【００５９】
従って、本明細書に開示された実施形態は、本発明を限定するものではなく、説明するためのものであり、このような実施形態によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００６０】
（０１）  リフレクター
（００５）  発光中心
（００６）  円弧面
（００７）  傾斜面
（００９）（０１０）（０１１）（０１２）  光線
（００２）  ランプ
（００３）  遮光板
（０１３）  ブラケット
（Ａ０１）  リフレクター
（２０１）  リフレクター本体
（２０２）  光遮断板
（２１４）  光源
（２０９）  光遮断面
（２１０）  弧状光反射面
（２０）（２１１）（２０６）（２０７）  凸部位置決め部材
（２０３）（２０４）（２１２）（２１３）  位置決め部材
（２２０）  錐状曲面光反射面
（２２０ａ）（２２０ｂ）（２２０ｃ）〜（２２０ｚ）  弧状傾斜面
（２２２）（２２３）  平面
（Ａ０２）  リフレクター
（３０２）  光遮断板
（３０９）  光遮断面
（３２０）（３２１）  錐状曲面光反射面
（３２０ａ）（３２０ｂ）（３２０ｃ）〜（３２０ｚ）  弧状傾斜面
（３１４）  光源
（３０６）（３０７）（３０）  凸部位置決め部材
（Ａ０３）  リフレクター
（４０２）  光遮断板
（４０９）  光遮断面
（４１０）  弧状光反射面
（４２０）（４１５）  錐状曲面光反射面
（４１４）  光源
（４０６）（４０７）（４０）  凸部位置決め部材
（Ａ０４）  リフレクター
（５０１）  リフレクター本体
（５０２）  光遮断板
（５０９）（５３２）  光遮断面
（５１０）  弧状光反射面
（５２０）（５１５）（５１６）  錐状曲面光反射面
（５０６）（５０７）（５０）（５１１）  凸部位置決め部材
（５０３）（５０４）（５１２）（５１３）  位置決め部材
（５１４）  光源
（５３１）  垂直平滑面
（５２２）（５２３）  平面
（Ａ０５）（Ａ０６）（Ａ０７）（Ａ０）  リフレクター
（６０１）（６０２）（６０３）（６０４）  光遮断板
（６２１）（６２２）（６２３）（６２４）  光遮断面
（６０５）  円錐曲面光反射面
（６０６）（６１０）（６１４）（６１９）  光源
（６３１）  フィン状突起物
（６５５）（６５６）（６５７）（６５）  位置決め部材
（６０）（６１３）（６１）（６５９）（６６０）（６６１）（６６４）  凸部位置決め部材
（６５１）（６５２）（６５３）（６５４）  リフレクター本体
（６６２）  錐状曲面光反射面
（６０７）（６１２）（６３２）（６１７）（６２０）  弧状光反射面
（６１５）  不規則光反射面
（６１６）  曲面
（Ａ０９）  リフレクター
（７０１）  リフレクター本体
（７０２）  光遮断板
（７０９）  光遮断面
（７１０）  弧状光反射面
（７１４）  光源
（７０６）（７０７）（７０）（７１１）  凸部位置決め部材
（７１２）（７１３）（７５１）（７５２）  位置決め部材
（７２０）  錐状曲面光反射面
（７２２）  上部錐状曲面光反射面
（７２１）  底部錐状曲面光反射面
（７０４）  中間半円傾斜面
（７２２ａ）（７２２ｂ）（７２２ｃ）〜（７２２ｚ）（７２１ａ）（７２１ｂ）（７２１ｃ）〜（７２１ｚ）  弧状傾斜面
（Ａ０１）（Ａ０９）  リフレクター
（２１４）（７１４）  光源
（３１）（３２）（３３）（３４）（３５）（３６）（３７）（３）（３９）（４１）（４２）（４３）（４４）  光線
（２１０）  弧状光反射面
（２０１）  リフレクター本体
（７０２）  光遮断板
（７２２）  上部錐状曲面光反射面
（７２１）  底部錐状曲面光反射面
（７２０）  錐状曲面光反射面
（Ａ１０）  リフレクター
（Ｃ０１）  光遮断板
（Ｃ０２）  リフレクター本体
（９０１）（９０２）  光遮断面
（９０３）  不規則光反射面
（９０４）（９０５）  弧状面
（９０６）  位置決め構成
（９０７）（９０）  柱状体
（９０９）  ブラケット
（９１０）  電磁石
（９１１）  錐状曲面光反射面
（９１２）（９１３）  Ｌ状柱状体
（９１４）  突起部
（９１５）  伸縮ロッド
（Ａ１１）（Ａ１２）（Ａ１３）（Ａ１４）  リフレクター
（１００２）（１０１２）（１０２２）（１０３２）  光遮断板
（１００１）（１０３１）  リフレクター本体
（１００９ａ）（１０２９ａ）（１０３９ａ）  水平に設置される平滑光遮断面
（１００９ｂ）（１０１９）（１０２９ｂ）（１０３９ｂ）  傾斜角度をつけて設置される平滑光遮断面
（１０４１）（１０４２）  錐状曲面光反射面
（Ａ１５）（Ａ１６）  リフレクター
（１１０１）（１１０２）（１１０３）（１１０４）（１１０５）（１１０６）（１１０）  位置決め部材
（１１０７）  発光モジュール
（１１０９）  光透過板
（Ａ１７）  リフレクター
（１２０１）  装飾用パネル
（１２０２）  ターン警告灯
（１２０３）  霧警告灯
（１２０４）  車幅警告灯
（Ａ１）（Ａ１９）  リフレクター
（１３０１）（１３０２）  高さが不均一な面
（Ｂ０１）（Ｂ０２）  灯具
（１４０１）（１４０３）  ダストカバー
（１４０２）（１４０４）  光透過板
（Ａ０１）  リフレクター
（Ｂ０３）  灯具
（１５０１）  ダストカバー
（１５０２）  光透過板
（Ａ０１）  リフレクター
（１５０３）  中空円筒状ブラケット
（１５０４）  レンズ
（Ａ２０）  リフレクター
（１６０１）  リフレクター本体
（１６０２）  光遮断板
（１６０９）  光遮断面
（１６１）  不均一な壁部
（１６１９）  第二光遮断面
【図１Ａ】
2016149348.tif 000003
【図１Ｂ】
2016149348.tif 000004
【図２Ａ】
2016149348.tif 000005
【図２Ｂ】
2016149348.tif 000006
【図３Ａ】
2016149348.tif 000007
【図３Ｂ】
2016149348.tif 000008
【図４Ａ】
2016149348.tif 000009
【図４Ｂ】
2016149348.tif 000010
【図５Ａ】
2016149348.tif 000011
【図５Ｂ】
2016149348.tif 000012
【図６Ａ】
2016149348.tif 000013
【図６Ｂ】
2016149348.tif 000014
【図６Ｃ】
2016149348.tif 000015
【図６Ｄ】
2016149348.tif 000016
【図７Ａ】
2016149348.tif 000017
【図７Ｂ】
2016149348.tif 000018
【図８Ａ】
2016149348.tif 000019
【図８Ｂ】
2016149348.tif 000020
【図９Ａ】
2016149348.tif 000021
【図９Ｂ】
2016149348.tif 000022
【図１０Ａ】
2016149348.tif 000023
【図１０Ｂ】
2016149348.tif 000024
【図１０Ｃ】
2016149348.tif 000025
【図１０Ｄ】
2016149348.tif 000026
【図１１Ａ】
2016149348.tif 000027
【図１１Ｂ】
2016149348.tif 000028
【図１２】
2016149348.tif 000029
【図１３Ａ】
2016149348.tif 000030
【図１３Ｂ】
2016149348.tif 000031
【図１４Ａ】
2016149348.tif 000032
【図１４Ｂ】
2016149348.tif 000033
【図１５】
2016149348.tif 000034
【図１６】
2016149348.tif 000035